(57)【要約】      （修正有）【課題】身飾品が取付けられるブーケに、象徴的存在の指輪を中心に支持して、祝事やパーティー用に供したり、そのまま部屋に飾ることができる身飾品取付けブーケを提供する。【解決手段】指輪、ブローチ、ネックレス、ピアス、チャーム類の身飾品が花部Ｆ又は茎部Ｋに取付け自在なブーケであって、花部Ｆの中央が開口部１０に形成されており、指輪３にワイヤー線材２が取付けられ、その線材２が花部Ｆの開口部１０に挿込まれ、線材２によって支持された指輪３が、花部Ｆの開口部１０から上方に突き出た位置で配置されると共に、開口部１０から下方に配置される線材２が茎部Ｋとして形成されている。【選択図】図１
0003168120.tif 000002
【実用新案登録請求の範囲】
【請求項１】
指輪、ブローチ、ネックレス、ピアス、チャーム類の身飾品が花部又は茎部に取付け自在なブーケであって、
花部の中央が開口部に形成されており、指輪に線材が取付けられ、その線材が前記花部の開口部に挿込まれ、前記線材によって支持された指輪が、花部の開口部から上方に突き出た位置で配置されると共に、当該開口部から下方に配置される前記線材が茎部として形成されていることを特徴とする身飾品取付けブーケ。
【請求項２】
指輪、ブローチ、ネックレス、ピアス、チャーム類の身飾品が係止具を介して花部又は茎部に取付け自在なブーケであって、
花部の中央が開口部に形成されていると共に、係止具の中央が上下方向に貫通する貫通孔に形成されその貫通孔の外周が小孔付き外周部に形成され、前記貫通孔が開口部と位置を同じくして当該係止具が花部の中央上面に配置されており、指輪に線材が取付けられ、その線材が前記係止具の貫通孔と花部の開口部に挿込まれ、前記線材によって支持された指輪が、係止具の貫通孔から上方に突き出た位置で配置されると共に、花部の開口部から下方に配置される前記線材が茎部として形成されていることを特徴とする身飾品取付けブーケ。
【請求項３】
指輪、ブローチ、ネックレス、ピアス、チャーム類の身飾品が花部又は茎部に取付け自在なブーケであって、
花部の中央が開口部に形成されており、指輪が着脱自在な上部切込みを備えたクッション材に線材が取付けられ、その線材が前記花部の開口部に挿込まれ、前記クッション材の上部切込みに取着された指輪が、花部の開口部から上方に突き出た位置で配置されると共に、当該開口部から下方に配置される前記線材が茎部として形成されていることを特徴とする身飾品取付けブーケ。
【請求項４】
指輪、ブローチ、ネックレス、ピアス、チャーム類の身飾品が係止具を介して花部又は茎部に取付け自在なブーケであって、
花部の中央が開口部に形成されていると共に、係止具の中央が上下方向に貫通する貫通孔に形成されその貫通孔の外周が小孔付き外周部に形成され、前記貫通孔が開口部と位置を同じくして当該係止具が花部の中央上面に配置されており、指輪が着脱自在な上部切込みを備えたクッション材に線材が取付けられ、その線材が前記係止具の貫通孔と花部の開口部に挿込まれ、前記クッション材の上部切込みに取着された指輪が、係止具の貫通孔から上方に突き出た位置で配置されると共に、花部の開口部から下方に配置される前記線材が茎部として形成されていることを特徴とする身飾品取付けブーケ。
【請求項５】
茎部をなす線材はワイヤーで成り、当該ワイヤーが指輪の指挿込み用開口部に挿通して互いに巻き付けられていることを特徴とする、請求項１〜４のいずれか１項に記載した身飾品取付けブーケ。
【請求項６】
茎部をなす線材の外周に紙テープが巻き付けられ、その紙テープの表面に粘土が被覆されて茎部が補強形成されていることを特徴とする、請求項１〜５のいずれか１項に記載した身飾品取付けブーケ。
【請求項７】
線材又は指輪その他の身飾品にリボンが取付けられていることを特徴とする、請求項１〜６のいずれか１項に記載した身飾品取付けブーケ。
【請求項８】
小孔付きガラスダイヤの前記小孔に第２線材が取付けられ、その第２線材が花部の開口部に挿込まれ、指輪を支持する線材と共に当該第２線材は茎部として形成されていることを特徴とする、請求項１〜７のいずれか１項に記載した身飾品取付けブーケ。
【請求項９】
線材によって支持された指輪に、身飾品又はメッセージカード又は写真又はマスコット人形その他のプレゼント品が係止されていることを特徴とする、請求項１〜８のいずれか１項に記載した身飾品取付けブーケ。
【請求項１０】
指輪以外の身飾品又はメッセージカード又は写真又はマスコット人形その他のプレゼント品を支持する第３線材が、花部の開口部に挿込まれ、指輪を支持する線材と共に当該第３線材は茎部として形成されていることを特徴とする、請求項１〜９のいずれか１項に記載した身飾品取付けブーケ。
【請求項１１】
クッション材はポッドに収容され、当該ポッドの下面に２つの下部切込みが備えられ、線材が一方の前記下部切込みに下方から挿通され他方の下部切込みに上方から挿通されて当該ポッドの下方で互いに巻き付けられていることを特徴とする、請求項３又は４に記載した身飾品取付けブーケ。
【請求項１２】
クッション材に取付けられる線材が棒体であり、当該棒体の上端に、クッション材を収容するポッドが取付けられていることを特徴とする、請求項３又は４に記載した身飾品取付けブーケ。
【請求項１３】
係止具の外周部の小孔に、身飾品が取付けられていることを特徴とする、請求項２又は４に記載した身飾品取付けブーケ。
【請求項１４】
係止具の外周部は、四角形、三角形、多角形その他の多角形又は花形又はハート形、十字形、星形、三つ葉形、梅形、桜形、扇形、卵形、三日月形等の所望形状で所望大きさに形成されていることを特徴とする、請求項２又は４又は１３に記載した身飾品取付けブーケ。
【請求項１５】
花部又は茎部又は係止具に、ラインストーン又は天然石又はビーズ又はガラスダイヤが取付けられていることを特徴とする、請求項１又は２又は３又は４又は５又は６又は８又は９又は１３又は１４に記載した身飾品取付けブーケ。
【請求項１６】
花部がドライフラワー、金属、革、布、紙その他の造花やプリザーブドフラワー、生花の所望の組合せ若しくは単体で形成されていることを特徴とする、請求項１又は２又は３又は４又は１５に記載した身飾品取付けブーケ。
【請求項１７】
花部に小孔が形成され、前記小孔に身飾品が取付け自在であることを特徴とする、請求項１又は２又は３又は４又は１５又は１６に記載した身飾品取付けブーケ。
【請求項１８】
花部に模様が施されていることを特徴とする、請求項１又は２又は３又は４又は１５又は１６又は１７に記載した身飾品取付けブーケ。
【考案の詳細な説明】
【技術分野】
【０００１】
本考案は、身飾品取付けブーケに係り、さらに言えば、指輪、ブローチ、ネックレス、ピアス、チャーム類の身飾品やメッセージカード、写真等を取付け自在なブーケに、指輪を中心に支持して、結婚式等の祝事やパーティーで使用したり、受け取った後に部屋に飾ったりする身飾品取付けブーケの技術分野に関する。
【背景技術】
【０００２】
指輪やチャームといった身飾品やメッセージカード、写真等を、指輪を中心にアピールして花と共に奇麗に飾ってプレゼントしたり、そのまま花と共に保存できたら素敵な思い出になって好ましい。
【０００３】
一方、下記文献１に係る実用新案登録第３０９６００９号公報には、造花で構成された花束と、ぬいぐるみ・人形等の、人又は動物の外形を模った物とを一体的に結合して成ることを特徴とするブーケが開示されている（請求項１）。
【先行技術文献】
【特許文献】
【０００４】
【特許文献１】実用新案登録第３０９６００９号公報
【考案の概要】
【考案が解決しようとする課題】
【０００５】
前記文献１のブーケは、需要者に対する選択の幅を拡大して需要者の趣味の一環に応えることを可能とし、かつ長期間の保存を可能とすることでインテリアグッズとしても好適なブーケではあるが、花束と、ぬいぐるみ・人形等の、人又は動物の外形を模った物とを一体的に結合して成るものであり、結婚式等の祝事でプレゼントとして贈る指輪その他の身飾品やメッセージカード、写真等を花束と一緒にする構成ではない。そのため、ぬいぐるみや人形を好む年齢層の誕生日会など特定目的の需要に限定される。
【０００６】
したがって、本考案が解決しようとする課題は、ブローチやネックレス、ピアス、チャームといった身飾品やメッセージカード、写真等が取付けられるブーケに指輪を中心に支持して、結婚式等の祝事やパーティーで使用したり、受け取った後にそのまま部屋に飾ることができて便利な身飾品取付けブーケを提供することにある。
【課題を解決するための手段】
【０００７】
上記課題を解決するための手段として、請求項１記載の考案の身飾品取付けブーケは、指輪、ブローチ、ネックレス、ピアス、チャーム類の身飾品Ｍが花部Ｆ又は茎部Ｋに取付け自在なブーケであって、
花部Ｆの中央が開口部１０に形成されており、指輪３に線材２が取付けられ、その線材２が前記花部Ｆの開口部１０に挿込まれ、前記線材２によって支持された指輪３が、花部Ｆの開口部１０から上方に突き出た位置で配置されると共に、当該開口部１０から下方に配置される前記線材２が茎部Ｋとして形成されていることを特徴とする。
【０００８】
請求項２記載の考案の身飾品取付けブーケは、指輪、ブローチ、ネックレス、ピアス、チャーム類の身飾品Ｍが係止具５を介して花部Ｆ又は茎部Ｋに取付け自在なブーケであって、
花部Ｆの中央が開口部１０に形成されていると共に、係止具Ｋの中央が上下方向に貫通する貫通孔５０に形成されその貫通孔５０の外周が小孔５２付き外周部５１に形成され、前記貫通孔５０が開口部１０と位置を同じくして当該係止具Ｋが花部Ｆの中央上面１１に配置されており、指輪３に線材２が取付けられ、その線材２が前記係止具５の貫通孔５０と花部Ｆの開口部１０に挿込まれ、前記線材２によって支持された指輪３が、係止具５の貫通孔５０から上方に突き出た位置で配置されると共に、花部Ｆの開口部１０から下方に配置される前記線材２が茎部Ｋとして形成されていることを特徴とする。
【０００９】
請求項３記載の考案の身飾品取付けブーケは、指輪、ブローチ、ネックレス、ピアス、チャーム類の身飾品Ｍが花部Ｆ又は茎部Ｋに取付け自在なブーケであって、
花部Ｆの中央が開口部１０に形成されており、指輪３が着脱自在な上部切込み４０を備えたクッション材４に線材２が取付けられ、その線材２が前記花部Ｆの開口部１０に挿込まれ、前記クッション材４の上部切込み４０に取着された指輪３が、花部Ｆの開口部１０から上方に突き出た位置で配置されると共に、当該開口部１０から下方に配置される前記線材２が茎部Ｋとして形成されていることを特徴とする。
【００１０】
請求項４記載の考案の身飾品取付けブーケは、指輪、ブローチ、ネックレス、ピアス、チャーム類の身飾品Ｍが係止具５を介して花部Ｆ又は茎部Ｋに取付け自在なブーケであって、
花部Ｆの中央が開口部１０に形成されていると共に、係止具５の中央が上下方向に貫通する貫通孔５０に形成されその貫通孔５０の外周が小孔５２付き外周部５１に形成され、前記貫通孔５０が開口部１０と位置を同じくして当該係止具５が花部Ｆの中央上面１１に配置されており、指輪３が着脱自在な上部切込み４０を備えたクッション材４に線材２が取付けられ、その線材２が前記係止具５の貫通孔５０と花部Ｆの開口部１０に挿込まれ、前記クッション材４の上部切込み４０に取着された指輪３が、係止具５の貫通孔５０から上方に突き出た位置で配置されると共に、花部Ｆの開口部１０から下方に配置される前記線材２が茎部Ｋとして形成されていることを特徴とする。
【００１１】
請求項５記載の考案の身飾品取付けブーケは、前記茎部Ｋをなす線材２がワイヤーで成り、当該ワイヤーが指輪３の指挿込み用開口部３０に挿通して互いに巻き付けられていることを特徴とする。
【００１２】
請求項６記載の考案の身飾品取付けブーケは、前記茎部Ｋをなす線材２の外周２０に紙テープ２１が巻き付けられ、その紙テープ２１の表面に粘土２２が被覆されて茎部Ｋが補強形成されていることを特徴とする。
【００１３】
請求項７記載の考案の身飾品取付けブーケは、前記線材２又は指輪３その他の身飾品Ｍにリボン６が取付けられていることを特徴とする。
【００１４】
請求項８記載の考案の身飾品取付けブーケは、小孔７０付きガラスダイヤ７の前記小孔７０に第２線材２ａが取付けられ、その第２線材２ａが花部Ｆの開口部１０に挿込まれ、前記指輪３を支持する線材２と共に当該第２線材２ａは茎部Ｋとして形成されていることを特徴とする。
【００１５】
請求項９記載の考案の身飾品取付けブーケは、前記線材によって支持された指輪に、身飾品又はメッセージカード８又は写真又はマスコット人形その他のプレゼント品が係止されていることを特徴とする。
【００１６】
請求項１０記載の考案の身飾品取付けブーケは、前記指輪３以外の身飾品Ｍ又はメッセージカード８又は写真又はマスコット人形その他のプレゼント品を支持する第３線材３ｂが、花部Ｆの開口部１０に挿込まれ、指輪３を支持する線材２と共に当該第３線材２ｂは茎部Ｋとして形成されていることを特徴とする。
【００１７】
請求項１１記載の考案の身飾品取付けブーケは、前記クッション材４がポッド４１に収容され、当該ポッド４１の下面４３に２つの下部切込み４２、４２が備えられ、線材２が一方の前記下部切込み４２に下方から挿通され他方の下部切込み４２に上方から挿通されて、当該ポッド４１の下方で互いに巻き付けられていることを特徴とする。
【００１８】
請求項１２記載の考案の身飾品取付けブーケは、前記クッション材４に取付けられる線材２が棒体４４であり、当該棒体４４の上端に、クッション材４を収容するポッド４１が取付けられていることを特徴とする。
【００１９】
請求項１３記載の考案の身飾品取付けブーケは、前記係止具５の外周部５１の小孔５２に、身飾品Ｍが取付けられていることを特徴とする。
【００２０】
請求項１４記載の考案の身飾品取付けブーケは、前記係止具５の外周部５１が、四角形、三角形、多角形その他の多角形又は花形又はハート形、十字形、星形、三つ葉形、梅形、桜形、扇形、卵形、三日月形等の所望形状で所望大きさに形成されていることを特徴とする。
【００２１】
請求項１５記載の考案の身飾品取付けブーケは、前記花部Ｆ又は茎部Ｋ又は係止具５に、ラインストーン９又は天然石又はビーズ又はガラスダイヤが取付けられていることを特徴とする。
【００２２】
請求項１６記載の考案の身飾品取付けブーケは、前記花部Ｆがドライフラワー、金属、革、布、紙その他の造花やプリザーブドフラワー、生花の所望の組合せ若しくは単体で形成されていることを特徴とする。
【００２３】
請求項１７記載の考案の身飾品取付けブーケは、前記花部Ｆに小孔１２が形成され、前記小孔１２に身飾品Ｍが取付け自在であることを特徴とする。
【００２４】
請求項１８記載の考案の身飾品取付けブーケは、前記花部Ｆに模様１３が施されていることを特徴とする。
【考案の効果】
【００２５】
本考案の請求項１に係る身飾品取付けブーケは、指輪、ブローチ、ネックレス、ピアス、チャーム類の身飾品が花部又は茎部に取付け自在なブーケであって、花部の中央が開口部に形成されており、指輪に線材が取付けられ、その線材が前記花部の開口部に挿込まれ、前記線材によって支持された指輪が、花部の開口部から上方に突き出た位置で配置されると共に、当該開口部から下方に配置される前記線材が茎部として形成されているので、象徴的存在の指輪がブーケの中心に配置して支持され、結婚式等の祝事やパーティーでのプレゼントに最適である。このブーケを受け取った後は、そのまま部屋に載置して飾って観賞できる便利性にも優れている。
【００２６】
また、係止具を介する請求項２の身飾品取付けブーケにおいても同様に、花部の中央に指輪が配置されて祝事のプレゼントに最適な上、当該係止具に異なる身飾品を係止でき、装飾効果が高められる。請求項１３のように、係止具の外周部の小孔に所望の身飾品を取付けるとより一層華やかである。
【００２７】
係止具の外周部は、当該ブーケの使用目的やシチュエーション等に応じて、四角形、三角形、多角形その他の多角形又は花形又はハート形、十字形、星形等の所望形状・望大きさに形成して楽しみながら実施できる（請求項１４）。
【００２８】
クッション材が使用される請求項３、４の身飾品取付けブーケによれば、クッション材の上部切込みに簡単に取着された指輪が、花部の開口部から上方に突き出た位置で配置されるから、取扱い上スムーズな上、指輪の上品なアピールに貢献する。
【００２９】
茎部をなす線材はワイヤーにより、簡単に指輪の指挿込み用開口部に挿通して互いに巻き付けて形成できるので（請求項５）、簡単かつ確実に当該ブーケを製作でき、しかも低コスト化が図られる。
【００３０】
また、茎部をなすワイヤー線材の外周には、紙テープが巻き付けられ、その紙テープの表面に粘土が被覆されて形成されるので（請求項６）、当該茎部が補強され使用上の耐久性があると共に、見栄えがよい。
【００３１】
ワイヤー線材や中央の指輪、又は他の身飾品にリボンが取付けられる請求項７のブーケによれば、当該リボンにプレゼントしたいメッセージカードや、写真その他の身飾品を簡単に取付けられて便利であるほか、装飾効果がより一層高められる。或いは、ワイヤーに支持された指輪自体に、異なる身飾品やメッセージカード又はマスコット人形その他のプレゼント品を直接係止してプレゼントに供することもできる（請求項９）。
【００３２】
また、請求項８のように、第２線材（ワイヤー）が取付けられた小孔付きガラスダイヤを併用すれば、その近くに配置される指輪が引き立つ。加えて、請求項１０のように、指輪以外の身飾品やメッセージカードや写真又はマスコット人形その他のプレゼント品を支持する第３線材（ワイヤー）を併用して、中央配置の指輪を華やかに演出できる。
【００３３】
上記のクッション材は、請求項１１のようにポッドに収容して実施すれば取扱いが楽な上、指輪は、花部の中央で突出するポッドでひときわアピールできて印象がよい。
【００３４】
なお、クッション材に取付けられるワイヤー線材は棒体でも用いられ、当該棒体の上端に、クッション材を収容するポッドを取付けて（請求項１２）実施できる融通性もある。
【００３５】
また当該身飾品取付けブーケの装飾効果を高めるために、請求項１５のように、花部又は茎部又は係止具に、ラインストーン又は天然石又はビーズ又はガラスダイヤが取付けられたり、請求項１６のように、花部がドライフラワー、金属、革、布、紙その他の造花やプリザーブドフラワー、生花の所望の組合せが可能な自由度がある。
【００３６】
さらに、花部自体に形成した小孔に身飾品を取付けたり（請求項１７）、花部に模様を施して実施すれば（請求項１８）、当該花部の中央に位置する指輪に彩が添えられ一段と華やかである。
【考案を実施するための最良の形態】
【００３７】
この考案に係る身飾品取付けブーケの好適な実施形態を、以下図面にしたがって説明する。この身飾品取付けブーケは、指輪、ブローチ、ネックレス、ピアス、チャームやチェーン類の身飾品Ｍ、又はマスコット人形その他のプレゼント品が、ブーケをなす花部Ｆや茎部Ｋに取付け自在に構成されている。
【００３８】
本実施形態のバリエーションを大別すると、指輪３を直接線材２に取付ける直付けタイプ（図１〜図１７）、クッション材を介して指輪を間接的に線材２に取付ける間接取付けタイプ（図１８〜図２２）がある。直接又は間接的に線材２に取付けられ、下記のように花部Ｆの中央に配置されるこの指輪３は、当該ブーケの象徴的存在でもある。
【００３９】
まず図１に示した直付けタイプについて説明する。
【００４０】
花部Ｆの中央が、開口部１０に形成されている。花部Ｆとしては、粘土で作るパンフラワー等の造花が好適であるが、ドライフラワーや金属、革、布、紙その他の造花（又はプリザーブドフラワーや生花）の所望の組合せ若しくは単体で多種多様に形成される（図４参照）。
【００４１】
この花部Ｆの中央開口部１０の形成要領は、中央を開口部１０用に予めスペースをあけて複数枚の花びらを配置させるか、花部Ｆを完成した後にその中央を上下に貫通させて形成される（図２３参照）。
【００４２】
当該ブーケの象徴的存在の指輪３に、茎部Ｋの基礎をなす線材２が取付けられている。当該線材２としては、図２に示したようなワイヤー（φ＝０．２ｍｍ〜０．３ｍｍ、全長３２ｃｍ）が好適に実施される。但し、本実施形態のワイヤー線材２の材質や太さ、長さは特に限定されない。例えば、ワイヤー２を合成樹脂製で所望の太さ・長さに形成する実施形態も採用可能である。１本の当該ワイヤー２の先端を、指輪３の指挿込み用の開口部３０に挿通し、ワイヤー２の略中間位置で巻き返し、他端のワイヤー２同士を相互にねじって巻き付けられている。
【００４３】
前記の花部Ｆの開口部１０にワイヤー２が挿込まれ、前記のようにそのワイヤー２によって支持された指輪３が、花部Ｆの開口部１０から上方に突き出た位置で配置される（図１参照）。かかる状態で、図３及び図５に示したように、茎部Ｋの基礎をなす前記ワイヤー２の外周２０に紙テープ２１が巻き付けられ、その紙テープ２１の表面に粘土２２が被覆されて、開口部１０から下方に配置されて補強された当該ワイヤー２の部分が茎部Ｋとして形成されている。なお、粘土２２としては、紙粘土や樹脂粘土などが好適に使用される。
【００４４】
なお、茎部Ｋに、ラインストーン９を取付けて装飾効果を高めることができる（図５）。また、茎部Ｋのみならず、花部Ｆや後述する係止具５に、ラインストーン９を取付けたり、或いは天然石やビーズ、ガラスダイヤ等を取付ける実施形態も好適に行われる。
【００４５】
また、この身飾品取付けブーケは、前記の指輪３を支持するワイヤー２と共に、ガラスダイヤ７を支持する第２線材２ａ（図８）や、前記指輪３以外の身飾品Ｍやメッセージカード８又は写真を支持する第３線材２ｂ（図１２）と共に併用する形態でも実施される。
【００４６】
第２線材２ａを利用するタイプを図６〜図８を用いて説明する。図７に示したようなガラスダイヤ７に設けられている複数の小孔７０・・・に、第２線材２ａは挿通され、下方で互いに巻き付けられている。この第２線材２ａが図６に示したように、花部Ｆの開口部１０に上方から挿込まれる。花部Ｆの開口部１０には上述した指輪３を支持するワイヤー２も上方から挿込まれている。
【００４７】
図８に示したように、指輪３を支持するワイヤー２と、当該第２線材２ａ（ワイーヤー）の外周に、紙テープ２１が巻き付けられ、その紙テープ２１の表面に粘土２２が被覆され茎部Ｋとして形成されている。かくして、花部Ｆの中央には、指輪３がガラスダイヤ７により下方から引き立てられている。
【００４８】
また、図１２に図示した第３線材２ｂ（ワイヤー）の上端はやや湾曲されて係止自在であり、そこに同図図示例のようにチャーム（身飾品）Ｍが支持されている。この第３線材２ｂが、前記同様に、花部Ｆの開口部１０に上方から挿込まれる。予め、開口部１０に挿込まれている指輪３を支持するワイヤー２と、当該第３線材２ｂ（ワイヤー）の外周に、紙テープ２１が巻き付けられ、その紙テープ２１の表面に粘土２２が被覆され茎部Ｋとして形成されている。かくして、花部Ｆの中央には、象徴的存在の指輪３が、チャーム（身飾品）Ｍにより引き立てられている。
【００４９】
次に、図９〜図１５に示した係止具５を介する実施形態について説明する。
【００５０】
図１０は代表的な係止具Ｋを示している。この係止具Ｋは、アクリル樹脂製やシリコーンゴム製等により全体形状がリング状に形成され、その中央が上下方向に貫通する貫通孔５０として形成されている。係止具５の外周部５１は、このようなリング状に限定されず、四角形（図１３）、三角形、多角形その他の多角形、或いは花形（図１５、図２１）又はハート形、十字形、星形（図１４参照）、三つ葉形、梅形、桜形、扇形、卵形、三日月形等の所望形状で、所望大きさに形成する実施形態が採用可能である。
【００５１】
係止具Ｋの貫通孔５０の外周をなす外周部５１には、複数の小孔５２・・・が設けられている。この小孔５２に、身飾品Ｍを自由に取付けることができる（図１４）。またこの外周部５１の小孔５２を利用して、ワイヤー２ｃを挿通して下方で互いに巻き付けて茎部Ｋに供することができる。なお、図１１に示したような当該外周部５１の裏面に下方に伸びる２本の脚部５３、５３を備えた形態の係止具Ｋも好適に実施される。
【００５２】
したがって、前記係止具Ｋの貫通孔５０が、花部Ｆの開口部１０と位置を同じくして当該係止具Ｋが花部Ｆの中央上面１１に配置され、上述した指輪３を支持するワイヤー２が当該係止具５の貫通孔５０と花部Ｆの開口部１０に挿込まれる。
【００５３】
かかる状態で、指輪３が取付けられたワイヤー２の外周２０（必要に応じて、係止具Ｋに取付けられたワイヤー２ｃや脚部５３の外周）に紙テープ２１が巻き付けられる。その紙テープ２１の表面に粘土２２が被覆されて、開口部１０から下方に配置されて補強された当該ワイヤー２の部分が茎部Ｋとして形成されている（図１２、図９参照）。
【００５４】
なお、図１５〜図１７に示したように、前記ワイヤー２や、指輪３、又はその他の身飾品Ｍに、リボン６を取付ける形態も好適に実施される。図１６に示したように、このリボン６にメッセージカード８や図示省略のアクセサリーを取付けることもできる。
【００５５】
図１５に示したリボン６が取付けられた指輪３の直下にはリングピローＲが予め介在さえており、当該リボン６と共に指輪３を引き立てている。さらには図１７に示した如く、プレゼントしたい小さめの指輪３’が、ワイヤー２に取付けられた指輪３に対しリボン６で結ばれている形態も好適である。
【００５６】
なお、前記リボン６を介さないで、ワイヤー２に支持された指輪３自体に直接、異なる身飾品Ｍやメッセージカード８、マスコット人形その他のプレゼントしたい商品を係止してもよい（図示は省略）。
【００５７】
次に、図１８〜図２２に示したクッション材４を介して指輪を間接的に線材２に取付ける間接取付けタイプについて説明する。
【００５８】
クッション材４は、図１８のように所謂リングピローとしてポッド４１に収容されている。図１９、図２０に示したような下面４３を有するすり鉢形状のポッド４１の当該下面４３に、２つの下部切込み４２、４２が備えられている。よって、図２０のように、ワイヤー２がいずれか一方の前記下部切込み４２に下方から挿通され、他方の下部切込み４２に上方から挿通されて、当該ポッド４１の下方で互いに巻き付けられている。最終的には当該ワイヤー２の外周には、上述した図示省略の紙テープ２１が巻き付けられ、その紙テープ２１の表面に粘土２２が被覆されて、このワイヤー２の部分が茎部Ｋとして形成される。
【００５９】
ポッド４１に収納されるクッション材４は、スポンジ等の弾力性があるものが好適で、その上面の中央が、指輪３を挿し込んで取着自在なように若干切込まれた上部切込み４０として形成されている。  
【００６０】
また図２１と図２２に示したポッド４１に、棒体４４を接続する形態でも実施可能である。すなわち、この実施形態は、ワイヤー２に代って棒体４４が用いられ、前記のポッド４１の下面４３には下部切込み４２がなく、当該棒体４４の上端が直接ポッド４１の下面４３に取付けられているものである。
【００６１】
したがって、上記のポッド４１内のクッション材４によっても、指輪３は花部Ｆの開口部１０から上方に突き出た位置で配置されると共に、開口部１０から下方に配置されるワイヤー２又はそれに代る棒体４４が茎部Ｋとして形成される。
【００６２】
なお、上述した花部Ｆに模様１３を施したり（図２３）、花部Ｆ自体に小孔１２を形成し、その小孔１２に身飾品Ｍを取付ける（図４）といった装飾効果をより一層高める形態も好適に実施される。
【図面の簡単な説明】
【００６３】
【図１】身飾品取付けブーケの基本構造を示した全体図である。
【００６４】
【図２】指輪へのワイヤーの取付け状態を示した斜視図である。
【００６５】
【図３】異なるブーケに取付けられた指輪を示した斜視図である。
【００６６】
【図４】異なる花部と茎部への身飾品の取付け状態を示した全体斜視図である。
【００６７】
【図５】花部と茎部の裏面を示した斜視図である。
【００６８】
【図６】ガラスダイヤの使用状態を示した全体斜視図である。
【００６９】
【図７】ガラスダイヤへのワイヤーの取付け状態を示した裏面図である。
【００７０】
【図８】ガラスダイヤの併用状態を示した全体斜視図である。
【００７１】
【図９】係止具の取付け状態を示した説明図である。
【００７２】
【図１０】係止具へのワイヤーの取付け状態を示した斜視図である。
【００７３】
【図１１】脚部付き係止具を示した斜視図である。
【００７４】
【図１２】係止具と第３線材の併用状態を示した斜視図である。
【００７５】
【図１３】異なる係止具とリボンの併用状態を示した斜視図である。
【００７６】
【図１４】係止具への身飾品の取付け状態を示した斜視図である。
【００７７】
【図１５】異なるリボンの使用状態を示した斜視図である。
【００７８】
【図１６】ワイヤーへのリボンの取付け要領を示した斜視図である。
【００７９】
【図１７】リボンによる異なる指輪の取付け状態を示した斜視図である。
【００８０】
【図１８】クッション材付きポッドの使用状態を説明した斜視図である。
【００８１】
【図１９】クッション材付きポッドを示した斜視図である。
【００８２】
【図２０】ポッドへのワイヤーの取付け要領を示した一部切欠斜視図である。
【００８３】
【図２１】クッション材付きポッドへの指輪の取着状態を示した斜視図である。
【００８４】
【図２２】異なるクッション材付きポッドを示した斜視図である。
【００８５】
【図２３】模様が施された花部を示した正面図である。
【符号の説明】
【００８６】
Ｍ      身飾品
Ｆ      花部
１０    開口部
１１    上面
１２    小孔
１３    模様
Ｋ      茎部
２      線材（ワイヤー）
２０    外周
２１    紙テープ
２２    粘土
２ａ    第２線材
２ｂ    第３線材
３      指輪
３０    開口部
４      クッション材
４０    上部切込み
４１    ポッド
４２    下部切込み
４３    下面
４４    棒体
５      係止具
５０    貫通孔
５１    外周部
５２    小孔
６      リボン
７      ガラスダイヤ
７０    小孔
８      メッセージカード
９      ラインストーン
【図１】
0003168120.tif 000003
【図２】
0003168120.tif 000004
【図３】
0003168120.tif 000005
【図４】
0003168120.tif 000006
【図６】
0003168120.tif 000007
【図７】
0003168120.tif 000008
【図８】
0003168120.tif 000009
【図９】
0003168120.tif 000010
【図１０】
0003168120.tif 000011
【図１１】
0003168120.tif 000012
【図１２】
0003168120.tif 000013
【図１３】
0003168120.tif 000014
【図１４】
0003168120.tif 000015
【図１５】
0003168120.tif 000016
【図１６】
0003168120.tif 000017
【図１７】
0003168120.tif 000018
【図１８】
0003168120.tif 000019
【図１９】
0003168120.tif 000020
【図２０】
0003168120.tif 000021
【図２１】
0003168120.tif 000022
【図２２】
0003168120.tif 000023
【図２３】
0003168120.tif 000024
【図５】
0003168120.tif 000025